(57)【要約】【課題】通話相手が確定した後に新たな通話相手の追加が可能である通信装置、通信方法及びプログラムを提供すること。【解決手段】  通信データを中継し通信データを使用してユーザに送受信サービスを提供する通信装置であって、入力された通信データを音声データと制御データに分離する分離手段と、音声データに音声を多重化する多重化手段と、制御データに基づいて送受信サービスを制御する制御データを生成する回線制御手段と、音声が多重化された音声データと送受信サービスを制御する制御データを合成する合成手段とを有することを特徴とする。【選択図】      図１
2014192558.tif 000002
【特許請求の範囲】
【請求項１】
通信データを中継し、前記通信データを使用してユーザに送受信サービスを提供する通信装置であって、
入力された通信データを、音声データと制御データに分離する、分離手段と、
前記音声データを受信し、前記音声データに音声を多重化して、前記音声が多重化された音声データを生成する、多重化手段と、
前記制御データに基づいて、前記送受信サービスを制御する制御データを生成する、回線制御手段と、
前記多重化手段により生成された音声データと、前記回線制御手段により生成された制御データを合成し、合成された通信データを生成して出力する、合成手段と
を有することを特徴とする、通信装置。
【請求項２】
前記回線制御手段により生成される制御データは、
自装置と通信データを送受信する他装置からの、前記自装置への着信を受信して、前記他装置と前記自装置との通信経路を確立させる制御データと、
前記自装置から前記他装置へ発信して、前記自装置と前記他装置との通話経路を確立させる制御データと
を含むことを特徴とする、請求項１に記載の通信装置。
【請求項３】
前記通信データは、音声チャネルのデジタル通信データであり、
前記分離手段は、前記通信データの所定の部分を前記制御データとして分離し、
前記多重化手段は、前記通信データの前記所定の部分にダミーのデータを付加して、前記ダミーデータを付加された通信データを前記音声データとして、アナログデータに変換する
ことを特徴とする、請求項１または２に記載の通信装置。
【請求項４】
通信データを中継し、前記通信データを使用してユーザに送受信サービスを提供する通信方法であって、
入力された通信データを、音声データと制御データに分離するステップと、
前記音声データに音声を多重化して、前記音声が多重化された音声データを生成するステップと、
前記制御データに基づいて、前記送受信サービスを制御する制御データを生成するステップと、
前記音声が多重化された音声データと、前記送受信サービスを制御する制御データを合成し、合成された通信データを生成して出力するステップと
を有することを特徴とする、通信方法。
【請求項５】
前記送受信サービスは、
自装置と通信データを送受信する他装置からの、前記自装置への着信を受信して、前記他装置と前記自装置との通信経路を確立するステップと、
前記自装置から前記他装置へ発信して、前記自装置と前記他装置との通話経路を確立させるステップと
を含むことを特徴とする、請求項４に記載の通信方法。
【請求項６】
前記通信データは、音声チャネルのデジタル通信データであり、
前記制御データは、前記通信データの所定の部分のデータであり、
前記音声データは、前記通信データの前記所定の部分にダミーのデータを付加されたデータであり、アナログデータに変換されて音声が多重化される
ことを特徴とする、請求項４または５に記載の通信方法。
【請求項７】
通信データを中継し、前記通信データを使用してユーザに送受信サービスを提供する通信装置の通信プログラムであって、
入力された通信データを、音声データと制御データに分離する処理と、
前記音声データを受信し、前記音声データに音声を多重化して、前記音声が多重化された音声データを生成する処理と、
前記制御データに基づいて、前記送受信サービスを制御する制御データを生成する処理と、
前記音声が多重化された音声データと、前記送受信サービスを制御する制御データを合成し、合成された通信データを生成して出力する処理と
をコンピュータに行わせることを特徴とする、通信プログラム。
【発明の詳細な説明】
【技術分野】
【０００１】
本発明は、通信装置、通信方法およびプログラムに関し、特に、オーダワイヤ伝送システムにおいて多重化信号を送受信する通信装置、通信方法およびプログラムに関する。
【背景技術】
【０００２】
情報通信の用途として利用される伝送通信システムにおいて、端局装置及び中継装置などの伝送装置のそれぞれは、ユーザにデータの送受信のサービスを提供する。これらの伝送装置はまた、タンデムに、すなわち一列に接続され、地理的に離れた場所どうしの間で情報の中継に使用される。このように接続された形態において、伝送装置間で保守者（ユーザ）の連絡、例えば、現地調整試験作業において端局間などで連絡をとるなどの用途として、音声通信の機能がそれぞれの伝送装置に具備されている。この音声通信の方式はオーダワイヤ方式と呼ばれ、この音声通信に用いられる通信回線は打合せ回線などと呼ばれる。
【０００３】
特許文献１は、多重デジタル信号からなる主信号のうちの１チャネルをオーダワイヤチャネルとして分離して利用するオーダワイヤ中継装置を開示する。
【０００４】
特許文献２は、伝送フレームに設けられる運用保守情報転送のための領域であるオーバーヘッド領域をオーダワイヤ回線に利用した、通信回線設定回路を開示する。
【０００５】
特許文献３は、６４キロビット毎秒の伝送信号を２本の３２キロビット毎秒の音声信号伝送用のアダプティブ・ディファレンシャル・パルス・コード・モデュレーション信号に分割して２系統の通話を確保するオーダワイヤ装置を開示する。
【０００６】
特許文献４は、音声信号と監視装置などの制御信号を多重化してオーダワイヤチャネルを使用して伝送する保守運用監視システムを開示する。
【０００７】
オーダワイヤ装置は、基本的な構成として、全局が同時に会話できる構成を有する。同時に複数の保守者（ユーザ）との会話が可能である。特許文献１の開示するオーダワイヤ中継装置では、各局の端局装置または中継装置に送受話器とともに、通話を行う際に操作される通話スイッチが設けられている。この通話スイッチを通話側に設定した装置どうしで同時に会話が行われる。
【０００８】
オーダワイヤ通信では、通話に参加しない局、すなわち、通話スイッチが通話側に設定されない局は、他局の会話を受信することが可能である。意図しない保守者にも通話内容が聞かれるというおそれがある。オーダワイヤ伝送装置の有する通話スイッチは、会話への参加を切り替える機能を有する。すなわち、該スイッチは、自局の音声の通信データへの参加の切り替えであり、通信データの受信を切り替えない。
【０００９】
オーダワイヤ通信は、基本的な構成として、通信相手との通信経路が確立していない状態で特定の通信相手を呼び出す機能を有さない。他局の保守者を呼び出すためには、他局の保守者が、常時受信できる状態にある通信音声を聴取する必要がある。すなわち、常時、保守者は音声をモニタ（受信）して、参加が必要であると保守者が判断したときに通話スイッチを通話側に切り替える。これにより他局に自局の音声を通信する。このような方式を採用する通信方式であるため、オーダワイヤ通信装置においては、通信のモニタが常時可能な状態にする必要がある。
【００１０】
特許文献２は、このような構成を有するオーダワイヤ装置に、入力されるオーダワイヤ信号が自局に対する着呼かどうかを判断する選択部を設けたオーダワイヤ装置を開示する。選択部は、自局に対する着呼であると判断すると、オーダワイヤ信号を終端してオーダワイヤ回線を設定する。自局に対する着呼でなければ、入力されたオーダワイヤ信号はスルーで出力される。このような構成により、特許文献２の開示するオーダワイヤ装置は、特定の局を指定して呼び出し、指定された局の保守者との通話が可能である。特許文献２の開示するオーダワイヤ回線では、ＤＴＭＦ（ＤｉａｌＴｏｎｅ  Ｍｕｌｔｉ−Ｆｒｅｑｕｅｎｃｙ）信号を電話信号に挿入し、電話番号による指定局の呼び出しが実現される。
【先行技術文献】
【特許文献】
【００１１】
【特許文献１】特開平４−１３３２１号公報
【特許文献２】特開２００１−３５８７３５号公報
【特許文献３】特開平２−１９８２６２号公報
【特許文献４】特開平８−１９１４８４号公報
【発明の概要】
【発明が解決しようとする課題】
【００１２】
特許文献２の開示するオーダワイヤ伝送システムは、ＤＴＭＦにより指定局を選択する方式である。このため、通話相手を指定して通話を開始した後で、この他の局を通話相手に追加することができない。発信局の保守者（ユーザ）が通話相手を選択できるのは発信時である。通話相手が確定した後は、通話をしていない他の局は通話信号を通過させてしまうか、通信回線が通話相手どうしの間で終端されるため、新たな通話相手の追加は不可能である。
【００１３】
特許文献３の開示するオーダワイヤ装置は、１つの伝送信号を２つの信号に分離して、２系統の通話を確保する。しかしながら、指定局を選択して通話相手を確定すると、その回線では他の局を追加できない。通話回線が２系統に増えても、他の局を追加できない課題は解決されない。
【００１４】
特許文献４の開示するオーダワイヤ伝送システムは、伝送信号を分離して、遠隔側システムに設置された機器の制御用に利用する。しかしながら、該オーダワイヤ伝送システムにおいては、音声信号が機器の制御信号に転用されるのみであり、制御信号が通話回線を制御することはできない。
【００１５】
オーダワイヤ通信は、端局装置及び中継装置を互いに接続し、それぞれの装置の保守者どうしが、ネットワークの保守情報などの交換に利用されることが想定されている。保守者どうしの通話の範囲が必要に応じて容易に変更できることが望ましい。このため、通話を開始する前に、２者で排他的な通話回線を確立する処理が必要な通信方式では、オーダワイヤ通信に備えられた利便性が損なわれる。
【００１６】
また、通信回線を制御するための制御信号を伝送する回線を、音声信号回線と別個に設けようとすれば、オーダワイヤ装置に制御回線のための通信手段を追加する必要があり、装置のコストを引き上げる。
【００１７】
本発明は上述した点に鑑みてなされたもので、通話相手が確定した後に新たな通話相手の追加が可能である通信装置、通信方法及びプログラムを提供することを目的とする。
【課題を解決するための手段】
【００１８】
上記の目的を達成するため、本発明の通信装置は、通信データを中継し通信データを使用してユーザに送受信サービスを提供する通信装置であって、入力された通信データを音声データと制御データに分離する分離手段と、音声データを受信し音声データに音声を多重化して音声が多重化された音声データを生成する多重化手段と、制御データに基づいて送受信サービスを制御する制御データを生成する回線制御手段と、多重化手段により生成された音声データと回線制御手段により生成された制御データを合成し合成された通信データを生成して出力する合成手段とを有することを特徴とする。
【００１９】
また、本発明の通信方法は、通信データを中継し通信データを使用してユーザに送受信サービスを提供する通信方法であって、入力された通信データを音声データと制御データに分離するステップと、音声データに音声を多重化して音声が多重化された音声データを生成するステップと、制御データに基づいて送受信サービスを制御する制御データを生成するステップと、音声が多重化された音声データと送受信サービスを制御する制御データを合成し合成された通信データを生成して出力するステップとを有することを特徴とする。
【００２０】
さらに、本発明の通信プログラムは、通信データを中継し通信データを使用してユーザに送受信サービスを提供する通信装置の通信プログラムであって、入力された通信データを音声データと制御データに分離する処理と、音声データを受信し音声データに音声を多重化して音声が多重化された音声データを生成する処理と、制御データに基づいて送受信サービスを制御する制御データを生成する処理と、音声が多重化された音声データと、送受信サービスを制御する制御データを合成し合成された通信データを生成して出力する処理とをコンピュータに行わせることを特徴とする。
【発明の効果】
【００２１】
本発明によれば、通話相手が確定した後に新たな通話相手の追加が可能である。
【図面の簡単な説明】
【００２２】
【図１】本発明の第１の実施形態に係る通信装置の構成の一例を示す。
【図２】本発明の第１の実施形態に係る通信方法における処理の一例を示すフローチャートである。
【図３】本発明の第２の実施形態に係る無線機基地局の構成の一例を示す。
【図４】本発明の第２の実施形態に係るオーダワイヤ通信装置の構成の一例を示す。
【図５】本発明の第３の実施形態に係る広域ネットワーク端局の構成の一例を示す。
【図６】本発明の第４の実施形態に係るオーダワイヤ通信装置の構成の一例を示す。
【図７】本発明の第４の実施形態に係る制御データフレームのデータ列の構成の一例を示す。
【図８】本発明の第２の実施形態に係るオーダワイヤ通信装置の選択部の処理の一例を示すフローチャートである。
【発明を実施するための形態】
【００２３】
発明を実施するための最良の形態について図面を参照して詳細に説明する。ただし、本発明は以下に示す実施形態に限定されない。
［第１の実施形態］
図１は、本発明の第１の実施形態に係る通信装置の構成の一例を示す。
【００２４】
本実施形態に係る通信装置１００１は、通信データを中継し、通信データを使用してユーザに送受信サービスを提供する通信装置である。通信装置には、電話機１００２が接続される。通信装置１００１は、分離手段１０１０と、多重化手段１０１２と、回線制御手段１１００と、合成手段１０１４を有する。分離手段１０１０は、入力された通信データを、音声データと制御データに分離する。多重化手段１０１２は、音声データを受信し、音声データに音声を多重化して、音声が多重化された音声データを生成する。回線制御手段１１００は、制御データに基づいて、送受信サービスを制御する制御データを生成する。合成手段１０１４は、多重化手段１０１２により生成された音声データと、回線制御手段１１００により生成された制御データを合成し、合成された通信データを生成して出力する。
【００２５】
本実施形態に係る通信方法の処理の一例を図２に示す。
【００２６】
本実施形態に係る通信方法は、通信データを中継し、通信データを使用してユーザに送受信サービスを提供する通信方法である。通信データを受信する（ステップＳ２０１）と、入力された通信データを、音声データと制御データに分離する（ステップＳ２０２）。制御データに基づいて、送受信サービスを制御する制御データを生成し、これにより通信回線を制御する（ステップＳ２０３）。本実施形態に係る通信方法はさらに、音声データに音声を多重化して、音声が多重化された音声データを生成し、音声が多重化された音声データと、送受信サービスを制御する制御データを合成し（ステップＳ２０４）、合成された通信データを生成して出力する（ステップＳ２０５）。
【００２７】
本実施形態に係る通信装置１００１においては、通話相手が確定した後に新たな通話相手の追加が可能である。
［第２の実施形態］
［構成］
図３は、本発明の第２の実施形態に係るオーダワイヤ伝送システムの構成の一例を示す。
【００２８】
本実施形態においては、無線機基地局においてオーダワイヤ伝送システムを構築した例を示すが、これに限定されない。
【００２９】
オーダワイヤ伝送システムは、オーダワイヤ通信装置が、タンデムに、すなわち一列に接続した構成を有する。オーダワイヤ通信装置は、図３に示されるように、図面右側から左側にオーダワイヤ信号を伝送する経路と、図面左側から右側にオーダワイヤ信号を伝送する経路を有する。
【００３０】
無線機基地局２０００は、オーダワイヤ通信装置２００１、電話機２００２、伝送装置２０１３、２０２３、マイクロ波無線装置２０１４、２０２４を含む。電話機２００２及び伝送装置２０１３、２０２３は、オーダワイヤ通信装置２００１に接続される。伝送装置２０１３および２０２３には、それぞれマイクロ波無線装置２０１４および２０２４からデジタルサービスチャネル回線が入出力される。
【００３１】
マイクロ波無線装置２０１４、２０２４は、他の無線機基地局とデジタルサービスチャネルを含む通信データの授受を行う。
【００３２】
伝送装置２０１３、２０２３は、デジタルサービスチャネルが伝送される通信フレームから音声チャネルのみを抽出し、該音声チャネルをオーダワイヤ通信装置２００１へ渡す。伝送装置２０１３、２０２３はさらに、音声チャネルを通信フレームに多重化して、該通信フレームをデジタルサービスチャネルに送信する。電話機２００２は、オーダワイヤ通信装置２００１との間で、音声信号の送受信及び発着信制御を行う。
【００３３】
図４は、本実施形態に係るオーダワイヤ通信装置２００１の構成の一例を示す。
【００３４】
本発明の第２の実施形態に係るオーダワイヤ通信装置２００１は、分離部１０、２０、解読部１１、２１、多重化部１２、２２、符号化部１３、２３、合成部１４、２４を含む。
【００３５】
分離部１０は、伝送装置２０１３からの音声チャネルのデジタル通信データを受信し、該通信データを圧縮音声データと制御データに分離する。解読部１１は、圧縮音声データを非圧縮音声データへ変換する。電話機２００２から入力された音声信号は回線接続部を経てアナログ信号からデジタル信号に変換され、該デジタル信号は多重化部２１において、非圧縮音声データに多重化される。符号化部１３は、非圧縮音声データを圧縮音声データへ変換する。合成部１４は、圧縮音声データと制御データを合成する。
【００３６】
なお、分離部２０、解読部２１、多重化部２２、符号化部２３および合成部２４は、伝送装置２０１３からの音声チャネルのデジタル通信データを受信して処理する。これらはそれぞれ、分離部１０、解読部１１、多重化部１２、符号化部１３、合成部１４と機能は同一であるので、説明を省略する。
【００３７】
本発明の第２の実施形態に係るオーダワイヤ通信装置２００１は、さらに、多重化部３０、信号変換部３１、３２、及び回線接続部３３を含む。
【００３８】
多重化部３０は、解読部１１および解読部２１から送信された非圧縮音声データを多重化する。信号変換部３１は、デジタル非圧縮音声データをアナログ音声信号へ変換する。信号変換部３２は、アナログ音声信号をデジタル非圧縮音声データへ変換する。回線接続部３３は、電話機２００２との間で音声信号の接続及び切断を行う。回線接続部３３は、電話機２００２の受話器のオンフック／オフフック状態を認識する機能を有する。
【００３９】
本発明の第２の実施形態に係るオーダワイヤ通信装置２００１は、さらに、蓄積部４０、５０、応答検出部４１、５１、局番検出部４２、５２、選択部４３、５３、応答部４４、５４、発信部４５、５５を含む。
【００４０】
蓄積部４０は、分離部１０から送信された制御データを蓄積する。応答検出部４１は、蓄積部４０に蓄積された制御データを解析し、応答信号を検出する。局番検出部４２は、制御データを解析し、自局ダイヤルの着信を検出する。選択部４３は、合成部２４へ送出する制御データを応答部４４と発信部４５と蓄積部５０のそれぞれから送信されるデータの中から選択する。応答部４４は、応答制御データを保持する。発信部４５は、電話機２００２の発信番号入力（ダイヤル）を解析して発信制御データを生成する。
【００４１】
なお、蓄積部５０、応答検出部５１、局番検出部５２、選択部５３、応答部５４および発信部５５は、伝送装置２０１３から受信したデジタル通信データを処理する。それぞれ、蓄積部４０、応答検出部４１、局番検出部４２、選択部４３、応答部４４および発信部４５と機能は同一であるので、説明を省略する。
【００４２】
本発明の第２の実施形態に係るオーダワイヤ通信装置２００１は、さらに、呼出部６０及び回線接続判定部７０を含む。
【００４３】
呼出部６０は、局番検出部４２または局番検出部５２から送信された局番検出信号を受信し、呼出音声を生成する。回線接続判定部７０は、オーダワイヤ通信装置２００１と電話機２００２の間の音声信号の接続および切断の判定を行う。
［動作］
次に、本発明の第２の実施形態に係るオーダワイヤ通信装置の動作について図４および８を参照して説明する。
【００４４】
なお、図８は、選択部４３、５３の処理の一例を示すフローチャートである。
【００４５】
オーダワイヤ通信装置２００１が、伝送装置２０２３からの音声チャネルのデジタル通信データを受信する。デジタル通信データは、分離部１０において圧縮音声データと制御データに分離される。分離された圧縮音声データは、解読部１１において非圧縮音声データへ変換される。変換された非圧縮音声データと、伝送装置２０１３から受信した通信データを同様にして変換して得られた非圧縮音声データが、多重化部３０において多重化される。多重化された非圧縮音声データは、信号変換部３１においてデジタル非圧縮音声データからアナログ音声信号へ変換される。
【００４６】
まず、初期状態は、自局がいずれの他局とも通話しない状態である。伝送装置２０２３からオーダワイヤ通信装置２００１に入力されるデジタル通信データは、分離部１０において分離されるが、分離された制御データ及び音声データは変更を受けずに合成部１４において合成され、伝送装置２０１３に出力される。また、伝送装置２０１３から入力されたデジタル通信データは、入力された状態で伝送装置２０２３に出力される。保守者は、デジタル通信データに含まれる通信音声を聴取せず、保守者の音声をデジタル音声データに追加しない。
【００４７】
次に、他局からの着信動作を説明する。
【００４８】
伝送装置２０２３から入力されたデジタル通信データは、分離部１０において分離される。分離されたデータのうち、制御データは、蓄積部４０に蓄積される（図８ステップＳ８０１）。蓄積部４０で蓄積された制御データは、他局から自局への着信の有無を局番検出部４２により監視される。自局への着信が検出されれば（図８ステップＳ８０２ＹＥＳ）、該着信は呼出部６０へ通知される。自局への着信が検出されなければ（図８ステップＳ８０２ＮＯ）、通信状態を維持し、蓄積部４０に蓄積された制御データが選択部５３に送出される（図８ステップＳ８０６）。
【００４９】
局番検出部４２において他局から自局への着信が検出され、該着信が呼出部６０へ通知された場合は、呼出部６０は呼出音声および呼出指示を生成し、該呼出音声及び該呼出指示を回線接続判定部７０へ送出する。回線接続判定部７０は、電話機２００２のオンフック状態を回線接続部３３に問い合わせる。電話機２００２がオンフック状態であれば、回線接続判定部７０は、呼出音声を回線接続部３３へ送出する。回線接続部３３は、電話機２００２へ呼出信号を送出する。
【００５０】
なお、伝送装置２０１３から入力されたデジタル着信信号から分離された制御データは、蓄積部５０に蓄積され、局番検出部５２により監視される。
【００５１】
電話機２００２の呼出音を聞き、保守者が受話器をオフフックすると、回線接続部３３は、回線接続判定部７０へ電話機２００２のオフフック動作を通知する。回線接続判定部７０は、呼出音の送出を停止するとともに、回線接続部３３へ回線接続指示を送出する。続けて、回線接続判定部７０は、選択部４３および選択部５３へそれぞれ応答部４４および応答部５４から送信された応答制御データを選択する（図８ステップＳ８０３）よう指示する。選択部４３および選択部５３は、制御データをそれぞれ合成部２４および合成部１４へ送出する。回線接続部３３は、信号変換部３１および信号変換部３２と電話機２００２を接続する。
【００５２】
回線接続部３３は、信号変換部３１からのアナログ音声信号を電話機２００２の受話スピーカへ送出する。他局からの音声は、電話機２００２の受話スピーカから出力される。他局への音声は、電話機２００２の送話マイクから入力され、アナログ音声信号が信号変換部３２へ送出される。信号変換部３２は、アナログ音声信号をデジタル非圧縮音声データへ変換し、多重化部１２および多重化部２２へ送出する。多重化部１２は、解読部１１から送信された他局からの非圧縮音声データと信号変換部３２から送信された非圧縮音声データを多重化し、多重化された非圧縮音声データを符号化部１３へ送出する。多重化部２２は、解読部２１から送信された他局からの非圧縮音声データと信号変換部３２から送信された非圧縮音声データを多重化し、多重化された非圧縮音声データを符号化部２３へ送出する。符号化部１３および符号化部２３は、非圧縮音声データを圧縮音声データへ変換して、該圧縮音声データをそれぞれ合成部１４および合成部２４へ送出する。合成部１４は、選択部５３から送信された制御データと符号化部１３から送信された圧縮音声データを合成して（図８ステップＳ８０７）、合成された圧縮音声データを伝送装置２０１３へ送出する。合成部２４は、選択部４３から送信された制御データと符号化部２３から送信された圧縮音声データを合成して、合成された圧縮音声データを伝送装置２０２３へ送出する。以上の手続により、自局と他局との通話経路が確立する。
【００５３】
次に、自局から他局への発信動作を説明する。
【００５４】
保守者は、電話機２００２の受話器をオフフックする。回線接続部３３は、電話機２００２のオフフックを検出すると、該オフフック動作を回線接続判定部７０へ通知する。
【００５５】
回線接続判定部７０は、通知された時点で他局からの着信が無ければ回線接続部３３へ発信許可音声を送出する。回線接続部３３は、電話機２００２へ発信許可音声を送出する。保守者は、電話機２００２からの発信許可音声を確認すると、目的の局への発信番号を入力（ダイヤル）する。
【００５６】
回線接続部３３は、電話機２００２からのダイヤル信号を受信すると（図８ステップＳ８０４ＹＥＳ）、回線接続判定部７０へダイヤル信号を送出する。回線接続判定部７０は、発信部４５および発信部５５へ発信ダイヤル制御データの生成を指示し、選択部４３および選択部５３に対してそれぞれ発信部４５および発信部５５から送信された発信ダイヤル制御データを選択する（図８ステップＳ８０５）よう指示する。
【００５７】
選択部４３および選択部５３は、それぞれ合成部２４および合成部１４へ制御データを送出する。合成部２４は、符号化部２３から送信された圧縮音声データと選択部４３から送信された制御データを合成し、伝送装置２０２３を介して他局へ送出する。合成部１４は、符号化部１３から送信された圧縮音声データと選択部５３から送信された制御データを合成し（図８ステップＳ８０７）、伝送装置２０１３を介して他局へ送出する。
【００５８】
伝送装置２０２３は他局からの通信データを分離部１０へ送出する。伝送装置２０１３は他局からの通信データを分離部２０へ送出する。分離部１０および分離部２０は、受信した通信データを圧縮音声データと制御データに分離する。蓄積部４０および蓄積部５０は、それぞれ分離部１０および分離部２０から送信された制御データを蓄積する。応答検出部４１および応答検出部５１は、それぞれ蓄積部４０および蓄積部５０に蓄積された制御データを監視し、他局からの応答信号を検出する。応答検出部４１または応答検出部５１は、応答信号を検出したら、該応答信号を回線接続判定部７０へ通知する。回線接続判定部７０は、回線接続部３３に対し回線接続指示を行う。回線接続部３３は、他局からの音声を信号変換部３１のアナログ音声信号として電話機２００２の受話スピーカへ送出する。回線接続部３３は、他局への音声を電話機２００２の送話マイクからのアナログ音声信号として信号変換部３２へ送出する。
【００５９】
信号変換部３２は、アナログ音声信号をデジタル非圧縮音声データへ変換し、該デジタル非圧縮音声データを多重化部１２および多重化部２２へ送出する。多重化部１２は、解読部１１から送信された他局からの非圧縮音声データと信号変換部３２から送信された非圧縮音声データを多重化し、該非圧縮音声データを符号化部１３へ送出する。多重化部２２は、解読部２１から送信された他局からの非圧縮音声データと信号変換部３２から送信された非圧縮音声データを多重化し、該非圧縮音声データを符号化部２３へ送出する。符号化部１３および符号化部２３は、非圧縮音声データを圧縮音声データへ変換して、該圧縮音声データをそれぞれ合成部１４および合成部２４へ送出する。合成部１４は、選択部５３から送信された制御データと符号化部１３から送信された圧縮音声データを合成して、合成された圧縮音声データを伝送装置２０１３へ送出する。合成部２４は、選択部４３から送信された制御データと符号化部２３から送信された圧縮音声データを合成して、合成された圧縮音声データを伝送装置２０２３へ送出する。以上の手続により、自局と他局との通話経路が確立する。
【００６０】
次に、通話中における他局呼び出し動作を説明する。
【００６１】
保守者が、電話機２００２にて他局の保守者と通話中に、さらに他の局の保守者を新たな通話相手として通話に参加させる場合、保守者は、通話中に電話機２００２から参加させたい局の番号を入力（ダイヤル）する。
【００６２】
回線接続部３３は、電話機２００２からのダイヤル信号を検出すると、回線接続判定部７０へダイヤル番号を送出する。回線接続判定部７０は、発信部４５および発信部５５へ発信ダイヤル制御データの生成を指示し、選択部４３および選択部５３に対してそれぞれ発信部４５および発信部５５から送信された発信ダイヤル制御データを選択するよう指示する。
【００６３】
選択部４３および選択部５３は、それぞれ合成部２４および合成部１４へ制御データを送出する。合成部２４は、符号化部２３から送信された圧縮音声データと選択部４３から送信された制御データを合成して、合成された圧縮音声データを伝送装置２０２３を介して他局へ送出する。合成部１４は、符号化部１３から送信された圧縮音声データと選択部５３から送信された制御データを合成して、合成された圧縮音声データを伝送装置２０１３を介して他局へ送出する。
【００６４】
他局の保守者が、送出されたデータに対して、受話器をオフフックすると、他局のオーダワイヤ通信装置は、電話機を回線に接続し、応答信号を送出する。
【００６５】
伝送装置２０２３が、他局のオーダワイヤ通信装置からの応答信号を受信した場合、伝送装置２０２３は、他局からの通信データを分離部１０へ送出する。
【００６６】
分離部１０は、受信した通信データを圧縮音声データと制御データへ分離する。蓄積部４０は、分離部１０から送信された制御データを蓄積する。応答検出部４１は、蓄積部４０に蓄積された制御データを監視し、他局からの応答信号の検出を行う。応答検出部４１は、応答信号を検出すると、該応答信号を、回線接続判定部７０へ通知する。
【００６７】
なお、伝送装置２０１３から入力された通信データから分離された制御データは、蓄積部５０に蓄積され、応答検出部５１により監視される。
【００６８】
回線接続判定部７０は、回線接続部３３に対し応答が着信したことを知らせる音声を送出する。回線接続部３３は、電話機２００２の受話スピーカに対し、応答着信音を送出する。保守者は、応答着信音を電話機２００２の受話スピーカから聞き、相手局が呼び出しに応じたことを知る。以上の手続により、他局との通話経路が追加され、他局の保守者が通話に参加することが可能となる。
【００６９】
次に、自局が通話経路を遮断する（電話を切る）動作を説明する。
【００７０】
自局の保守者が他局との通話状態において、電話機２００２の受話器をオンフックすると、回線接続部３３がオンフック動作を検出し、回線接続判定部７０に通知する。
【００７１】
回線接続判定部７０は、選択部４３および選択部５３に、通話経路の遮断を通知する制御データを選択するよう指示する。
【００７２】
選択部４３および選択部５３は、該制御データをそれぞれ合成部２４および合成部１４に送信する。合成部２４および合成部１４は、該制御データと圧縮音声データを合成して、合成した圧縮音声データが他局に送信される。
【００７３】
通信経路の遮断を通知する制御データを含む圧縮音声データを受信した他局は、該圧縮音声データを送信した局との通話状態を終了する。以上の処理により、通話経路が遮断される。
【００７４】
本発明の第２の実施形態に係るオーダワイヤ通信装置によれば、オーダワイヤ通信に使用されるデジタル通信データの一部を制御用データに分離することにより、音声データの通信と通信回線の制御が可能である。
【００７５】
制御用データが相手先の通信局についての情報を有するので、相手先の通信局を呼び出して通信セッションの確立を申し込む（電話をかける）ことが可能である。これにより、通話相手として指定されない通信局において、通話内容が監視されることがない。
【００７６】
また、本実施形態に係るオーダワイヤ通信装置においては、通信局の保守者が電話機で通話をしている状態であっても、デジタル通信データに含まれる制御用データは蓄積部に蓄積され、局番検出部及び応答検出部により監視される。保守者が通話中であっても、さらに他の通信局を呼び出すことが可能であり、また、他の通信局からの着信に応答することが可能である。これにより、通話中であっても、通話に参加する通話者を任意に変更することができ、通話による情報の共有範囲を自由に変更することができる。
［第３の実施形態］
図５は、本発明の第３の実施形態に係るオーダワイヤ伝送システムの構成の一例を示す。本実施形態に係るオーダワイヤ伝送システムは、広域ネットワーク端局を構成する。
【００７７】
本実施形態に係る広域ネットワーク端局２１００は、第２の実施形態に係るオーダワイヤ伝送システムにおけるマイクロ波無線装置２０１４、２０２４を広域ネットワーク終端装置２１１４、２１２４に代替したものである。
【００７８】
オーダワイヤ通信装置２１０１に、電話機２１０２と伝送装置２１１３、２１２３が接続されており、伝送装置２１１３および２１２３には、それぞれ広域ネットワーク終端装置２１１４および２１２４が接続されている。広域ネットワーク終端装置２１１４、２１２４は他局と接続されており、通信データの授受を行う。伝送装置２１１３、２１２３は、広域ネットワークから受信した伝送フレームからオーバーヘッドを抽出してオーダワイヤ通信装置２００１へ渡す。また、伝送装置２１１３、２１２３は、オーダワイヤ通信装置２００１が生成したデータを伝送フレームのオーバーヘッドに含め、伝送フレームを広域ネットワーク終端装置２１１４、２１２４に渡して、広域ネットワークに送出する。電話機２１０２は、オーダワイヤ通信装置２１０１との間で、音声信号の送受信や、発着信制御を行う。
【００７９】
本実施形態に係るオーダワイヤ通信装置２１０１は、広域ネットワークで送受される伝送フレームのオーバーヘッドをオーダワイヤ通信に使用することを除けば、第２の実施形態に係るオーダワイヤ通信装置と同一の構成を有するので、説明を省略する。
【００８０】
本発明の第３の実施形態に係るオーダワイヤ通信装置によれば、広域ネットワークで送受信される伝送フレームのオーバーヘッドをオーダワイヤ通信に使用するので、音声通信だけでなく、画像データや機器制御などの、音声以外の用途の通信回線を、分離した制御データを元にして制御することができる。また、音声通信と併用することにより、多様な通信方法に対応することが可能である。
［第４の実施形態］
次に、本発明の第４の実施形態に係るオーダワイヤ通信装置の構成及び動作が、図６および７を参照して説明される。
【００８１】
図６は、本実施形態に係るオーダワイヤ通信装置の構成の一例を示す。
【００８２】
本発明の第４の実施形態に係るオーダワイヤ通信装置３００１は、伝送装置３０１３、３０２３に接続され、また、電話機３００２が接続される。
【００８３】
オーダワイヤ通信装置３００１は、分離部１１０、１２０、デコーダ１１１、１２１、多重化部１１２、１２２、エンコーダ１１３、１２３、合成部１１４、１２４、多重化部１３０、ＤＡ（Ｄｉｇｉｔａｌ−Ａｎａｌｏｇ）変換部１３１、ＡＤ（Ａｎａｌｏｇ−Ｄｉｇｉｔａｌ）変換部１３２、及び回線接続部１３３を含む。オーダワイヤ通信装置３００１はさらに、呼出部１６０、回線接続判定部１７０、レジスタ１４０、１５０、応答検出部１４１、１５１、局番検出部１４２、１５２、セレクタ１４３、１５３、応答部１４４、１５４、発信部１４５、１５５を含む。
【００８４】
分離部１１０は、伝送装置３０２３からデジタル音声データを受信する。該デジタル音声データは、通信速度が６４ｋｂｐｓ（ｂｉｔ  ｐｅｒ  ｓｅｃｏｎｄ）の音声チャネルである。該デジタル音声データは、デジタル音声信号の圧縮方法の１つである、μ−ｌａｗアルゴリズムで符号化された８ビットのデータである。サンプリング周波数は８０００ヘルツである。分離部１１０は、該デジタル音声データを、７ビットのμ−ｌａｗ音声データと１ビットの制御データに分離する。
【００８５】
なお、μ−ｌａｗ音声データは８ビットで構成されるが、本実施形態においては、エンコーダ１１３またはエンコーダ１２３にて１ビットをマスクして７ビットを使用する。この処理により音質は劣化するが、オーダワイヤ通信装置の用途は、通信回線の保守に際して通信される音声通話であるため、音声を聞き取りに対しては十分な品質が維持されている。
【００８６】
空いた１ビット空間に１ビットの制御データが割り当てられて、８ビットのデジタル通信データが構成される。
【００８７】
デコーダ１１１は、７ビットのμ−ｌａｗ音声データに０を１ビット付加して８ビットとし、このデータを１４ビットのＰＣＭ（Ｐｕｌｓｅ  Ｃｏｄｅ  Ｍｏｄｕｌａｔｉｏｎ）音声データへ変換する。多重化部１１２は、１４ビットのＰＣＭ音声データに電話機３００２から送信された１４ビットのＰＣＭ音声データを多重化する。
【００８８】
エンコーダ１１３は、１４ビットのＰＣＭ音声データを８ビットのμ−ｌａｗ音声データへ変換した後に１ビットをマスクして７ビットにする。合成部１１４は、７ビットのμ−ｌａｗ音声データと１ビットの制御データを合成して、８ビットのデータを生成する。
【００８９】
同様にして、分離部１２０は、伝送装置３０１３から、６４ｋｂｐｓ音声チャネルの８ビットのデジタル通信データを受信し、７ビットのμ−ｌａｗ音声データと１ビットの制御データに分離する。デコーダ１２１は、７ビットのμ−ｌａｗ音声データに、ダミーデータとして、０を１ビット付加して８ビットとし、１４ビットのＰＣＭ音声データへ変換する。多重化部１２２は、１４ビットのＰＣＭ音声データに電話機３００２から送信された１４ビットのＰＣＭ音声データを多重化する。エンコーダ１２３は、１４ビットのＰＣＭ音声データを８ビットのμ−ｌａｗ音声データへ変換し、１ビットをマスクして７ビットにする。合成部１２４は、７ビットのμ−ｌａｗ音声データと１ビットの制御データを合成する。
【００９０】
多重化部１３０は、デコーダ１１１から送信された１４ビットのＰＣＭ音声データとデコーダ１２１から送信された１４ビットのＰＣＭ音声データを多重化する。ＤＡ変換部１３１は、１４ビットのデジタルＰＣＭ音声データをアナログ音声信号へ変換する。ＡＤ変換部１３２は、アナログ音声信号を１４ビットのデジタルＰＣＭ音声データへ変換する。回線接続部１３３は、電話機３００２との間で音声信号の接続および切断を行う。回線接続部１３３は、電話機３００２の受話器のオンフック／オフフック状態を認識する機能を有する。
【００９１】
レジスタ１４０は、分離部１１０から送信された１ビットの制御データを蓄積する。
【００９２】
所定数（例えば３２）の８ビットのデジタル通信データが蓄積され、１つのデータ信号が構成される。このうちの制御に関わる部分を制御データフレームとする。制御データフレームのフォーマットの一例を図７に示す。制御データフレームは、同期ビット、発信装置番号データ、着信装置番号データ、応答信号、および誤り検出のためのデータ列を含む。
【００９３】
応答検出部１４１は、制御データフレームのビット列を解析し、応答信号データを検出する。局番検出部１４２は、制御データフレームのビット列を解析し、着信装置番号から自局ダイヤルの着信の有無を検出する。セレクタ１４３は、合成部１２４へ送出する制御データのビット列を応答部１４４と発信部１４５とレジスタ１５０のそれぞれから送信されるデータの中から選択する。応答部１４４は、制御データフレームのビット列の応答信号データを保持する。発信部１４５は、電話機３００２の発信番号入力（ダイヤル）を解析し、制御データフレームのビット列に含まれる発信装置番号を生成する。
【００９４】
同様にして、レジスタ１５０は、分離部１２０から送信された１ビットの制御データを蓄積する。所定数（例えば３２）の８ビットのデジタル通信データが蓄積され、１つのデータ信号が構成される。このうちの制御に関わる部分を制御データフレームとする。
【００９５】
応答検出部１５１は、制御データフレームのビット列を解析し、応答信号データを検出する。局番検出部１５２は、制御データフレームのビット列を解析し、着信装置番号から自局ダイヤルの着信の有無を検出する。セレクタ１５３は、合成部１１４へ送出する制御データフレームのビット列を応答部１５４と発信部１５５とレジスタ１４０のそれぞれから送信されるデータの中から選択する。応答部１５４は、制御データフレームのビット列の応答信号データを保持する。発信部１５５は、電話機３００２の発信番号入力（ダイヤル）を解析し、制御データフレームのビット列に含まれる発信装置番号を生成する。
【００９６】
呼出部１６０は、局番検出部１４２または局番検出部１５２から送信された局番検出信号を受信し、呼出音声を生成する。回線接続判定部１７０は、オーダワイヤ通信装置３００１と電話機３００２の間の音声信号の接続および切断の判定を行う。
【００９７】
次に、本発明の第４の実施形態に係るオーダワイヤ通信装置の動作について説明される。
【００９８】
まず、他局からの着信動作が説明される。
【００９９】
オーダワイヤ通信装置３００１が、伝送装置３０２３からの６４ｋｂｐｓ音声チャネルの８ビットのデジタル通信データを受信する。８ビットのデジタル通信データは、分離部１１０で７ビットのμ−ｌａｗ音声データと１ビットの制御データに分離される。分離された７ビットのμ−ｌａｗ音声データは、デコーダ１１１で１４ビットのＰＣＭ音声データへ変換される。多重化部１３０にてデコーダ１１１から送信された１４ビットのＰＣＭ音声データとデコーダ１２１から送信された１４ビットのＰＣＭ音声データが多重化される。多重化された１４ビットのＰＣＭ音声データは、ＤＡ変換部１３１でデジタルＰＣＭ音声データからアナログ音声信号へ変換される。
【０１００】
分離部１１０にて分離された１ビットの制御データは、レジスタ１４０に蓄積される。
【０１０１】
所定数（例えば３２）の８ビットのデジタル通信データが蓄積され、１つのデータ信号が構成される。このうちの制御に関わる部分を制御データフレームとする。レジスタ１４０に蓄積された制御データフレームのビット列の着信装置番号は局番検出部１４２により監視され、自局番号が検出されれば該制御データフレームは呼出部１６０へ通知し、検出されなければセレクタ１５３へ制御データフレームのビット列が送出される。
【０１０２】
なお、伝送装置３０１３から入力されたデジタル通信データから分離された制御データは、レジスタ１５０に蓄積される。所定数の８ビットのデジタル通信データが蓄積され、１つのデータ信号が構成される。このうちの制御に関わる部分である制御データフレームは、局番検出部１５２により監視される。
【０１０３】
局番検出部１４２または局番検出部１５２により自局着信装置番号が検出され、該制御データフレームが呼出部１６０へ通知された場合、呼出部１６０は呼出音声および呼出指示を生成し、該呼出音声および該呼出指示を回線接続判定部１７０へ送出する。回線接続判定部１７０は、電話機３００２のオンフック状態を回線接続部１３３に問い合わせ、電話機３００２がオンフック状態であれば、呼出音声を回線接続部１３３へ送出する。回線接続部１３３は、電話機３００２へ呼出信号を送出する。
【０１０４】
電話機３００２の呼出音を聞き、保守者が受話器をオフフックすると、回線接続部１３３は、回線接続判定部１７０へ電話機３００２のオフフック動作を通知する。回線接続判定部１７０は、呼出音の送出を停止し、回線接続部１３３へ回線接続指示を送出する。
【０１０５】
回線接続判定部１７０は、セレクタ１４３およびセレクタ１５３へそれぞれ応答部１４４および応答部１５４から送信された応答制御データフレームのビット列を選択するよう指示する。セレクタ１４３およびセレクタ１５３は、制御データフレームのビット列をそれぞれ合成部１２４および合成部１１４へ送出する。回線接続部１３３は、ＤＡ変換部１３１およびＡＤ変換部１３２と電話機３００２を接続する。
【０１０６】
回線接続部１３３は、他局からの音声を、ＤＡ変換部１３１からのアナログ音声信号として電話機３００２の受話スピーカへ送出する。他局への音声は、電話機３００２の送話マイクからＡＤ変換部１３２へアナログ音声信号として送出される。ＡＤ変換部１３２は、アナログ音声信号を１４ビットのデジタルＰＣＭ音声データへ変換し、多重化部１１２および多重化部１２２へ送出する。多重化部１１２は、デコーダ１１１から送信された他局からの１４ビットのＰＣＭ音声データとＡＤ変換部１３２から送信された１４ビットのＰＣＭ音声データを多重化し、エンコーダ１１３へ送出する。多重化部１２２は、デコーダ１２１から送信された他局からの１４ビットのＰＣＭ音声データとＡＤ変換部１３２から送信された１４ビットのＰＣＭ音声データを多重化し、エンコーダ１２３へ送出する。
【０１０７】
エンコーダ１１３およびエンコーダ１２３は、１４ビットのＰＣＭ音声データを８ビットのμ−ｌａｗ音声データへ変換したのち１ビットをマスクして７ビットとし、該７ビットのデータをそれぞれ合成部１１４および合成部１２４へ送出する。合成部１１４は、セレクタ１５３から送信された１ビットの制御データとエンコーダ１１３から送信された７ビットのμ−ｌａｗ音声データを合成して８ビットのデジタル通信データとし、伝送装置３０１３へ送出する。合成部１２４は、セレクタ１４３から送信された１ビットの制御データとエンコーダ１２３から送信された７ビットのμ−ｌａｗ音声データを合成して８ビットのデジタル通信データとし、伝送装置３０２３へ送出する。以上の手続により、他局との通話が成立する。
【０１０８】
次に、自局から他局への発信動作を説明する。
【０１０９】
保守者は、電話機２の受話器をオフフックする。回線接続部１３３は、電話機３００２のオフフックを検出すると該オフフック動作を回線接続判定部１７０へ通知する。回線接続判定部１７０は、通知された時点で他局からの着信が無ければ回線接続部１３３へダイヤルトーンを送出する。回線接続部１３３は、電話機３００２へダイヤルトーンを送出する。保守者は、電話機３００２からのダイヤルトーンを確認すると、目的の局への発信番号を入力（ダイヤル）する。回線接続部１３３は、電話機３００２からのダイヤル信号を受信すると、回線接続判定部１７０へダイヤル信号を送出する。回線接続判定部１７０は、発信部１４５および発信部１５５へ発信ダイヤル制御データのビット列の生成を指示し、セレクタ１４３およびセレクタ１５３に対してそれぞれ発信部１４５および発信部１５５から送信された発信ダイヤル制御データのビット列を選択するよう指示する。
【０１１０】
セレクタ１４３およびセレクタ１５３は、それぞれ合成部１２４および合成部１１４へ制御データフレームのビット列を送出する。合成部１２４は、エンコーダ１２３から送信された７ビットのμ−ｌａｗ音声データとセレクタ１４３から送信された１ビットの制御データを合成して８ビットのデジタル通信データとし、伝送装置３０２３を介して他局へ送出する。合成部１１４は、エンコーダ１１３から送信された７ビットのμ−ｌａｗ音声データとセレクタ１５３から送信された１ビットの制御データを合成して８ビットのデジタル通信データとし、伝送装置３０１３を介して他局へ送出する。
【０１１１】
伝送装置３０２３は他局からの８ビットのデジタル通信データを分離部１１０へ送出する。伝送装置３０１３は他局からの８ビットのデジタル通信データを分離部１２０へ送出する。分離部１１０および分離部１２０は、８ビットのデジタル通信データを７ビットのμ−ｌａｗ音声データと１ビットの制御データへ分離する。レジスタ１４０およびレジスタ１５０は、それぞれ分離部１１０および分離部１２０から送信された１ビットの制御データを蓄積する。所定数（例えば３２）の８ビットのデジタル通信データが蓄積され、１つのデータ信号が構成される。このうちの制御に関わる部分を制御データフレームとする。応答検出部１４１および応答検出部１５１は、それぞれレジスタ１４０およびレジスタ１５０に蓄積された制御データフレームのビット列を監視し、他局からの応答信号を検出する。応答検出部１４１または応答検出部１５１は、応答信号を検出したら、該応答信号を回線接続判定部１７０へ通知する。回線接続判定部１７０は、回線接続部１３３に対し回線接続指示を行う。回線接続部１３３は、他局からの音声を、ＤＡ変換部１３１のアナログ音声信号として電話機３００２の受話スピーカへ送出する。回線接続部１３３は、他局への音声を電話機３００２の送話マイクからのアナログ音声信号をＡＤ変換部１３２へ送出する。
【０１１２】
ＡＤ変換部１３２は、アナログ音声信号を１４ビットのデジタルＰＣＭ音声データへ変換し、多重化部１１２および多重化部１２２へ送出する。多重化部１１２は、デコーダ１１１から送信された他局からの１４ビットのＰＣＭ音声データとＡＤ変換部１３２から送信された１４ビットのＰＣＭ音声データを多重化し、エンコーダ１１３へ送出する。多重化部１２２は、デコーダ１２１から送信された他局からの１４ビットのＰＣＭ音声データとＡＤ変換部１３２から送信された１４ビットのＰＣＭ音声データを多重化し、エンコーダ１２３へ送出する。エンコーダ１１３およびエンコーダ１２３は、１４ビットのＰＣＭ音声データを８ビットのμ−ｌａｗ音声データへ変換し、１ビットをマスクして７ビットとし、該音声データをそれぞれ合成部１１４および合成部１２４へ送出する。合成部１１４は、セレクタ１５３から送信された１ビットの制御データとエンコーダ１１３から送信された７ビットのμ−ｌａｗ音声データを合成して８ビットのデジタル通信データを生成し、該デジタル通信データを伝送装置３０１３へ送出する。合成部１２４は、セレクタ１４３から送信された１ビットの制御データとエンコーダ１２３から送信された７ビットのμ−ｌａｗ音声データを合成して８ビットのデジタル通信データを生成し、該デジタル通信データを伝送装置３０２３へ送出する。以上の手続により他局との通話が成立する。
【０１１３】
次に、通話中における他局呼び出し動作を説明する。
【０１１４】
保守者が、電話機３００２にて他局の保守者と通話中に、さらに他の局の保守者を新たな通話相手として通話に参加させる場合、保守者は、通話中に電話機３００２から参加させたい局の番号を入力（ダイヤル）する。
【０１１５】
回線接続部１３３は、電話機３００２からのダイヤル信号を検出すると、回線接続判定部１７０へダイヤル番号を送出する。回線接続判定部１７０は、発信部１４５および発信部１５５へ発信ダイヤル制御データのビット列の生成を指示する。回線接続判定部１７０はさらに、セレクタ１４３およびセレクタ１５３に対してそれぞれ発信部１４５および発信部１５５から送信された発信ダイヤル制御データのビット列を選択するよう指示する。
【０１１６】
セレクタ１４３およびセレクタ１５３は、それぞれ合成部１２４および合成部１１４へ制御データフレームのビット列を送出する。合成部１２４は、エンコーダ１２３から送信された７ビットのμ−ｌａｗ音声データとセレクタ１４３から送信された１ビットの制御データを合成して８ビットのデジタル通信データを生成し、該デジタル通信データを伝送装置３０２３を介して他局へ送出する。合成部１１４は、エンコーダ１１３から送信された７ビットのμ−ｌａｗ音声データとセレクタ１５３から送信された１ビットの制御データを合成して８ビットのデジタル通信データを生成し、該デジタル通信データを伝送装置３０１３を介して他局へ送出する。
【０１１７】
他局保守者が、送出されたデジタル通信データに対して、受話器をオフフックすると、他局のオーダワイヤ装置は電話機を回線に接続し、応答信号を送出する。
【０１１８】
伝送装置３０２３が、他局のオーダワイヤ装置からの応答信号を受信した場合、伝送装置３０２３は、他局からの８ビットのデジタル通信データを分離部１１０へ送出する。
【０１１９】
分離部１１０は、８ビットのデジタル通信データを７ビットのμ−ｌａｗ音声データと１ビットの制御データへ分離する。レジスタ１４０は、分離部１１０から送信された１ビットの制御データを蓄積する。所定数（例えば３２）の８ビットのデジタル通信データが蓄積され、１つのデータ信号が構成される。このうちの制御に関わる部分を制御データフレームとする。応答検出部１４１は、レジスタ１４０に蓄積された制御データフレームのビット列を監視し、他局からの応答信号の検出を行う。応答検出部１４１は、応答信号を検出すると、該応答信号を回線接続判定部１７０へ通知する。
【０１２０】
なお、伝送装置３０１３から入力された他局のオーダワイヤ装置からの応答信号から分離された制御データフレームは、レジスタ１５０に蓄積され、応答検出部１５１により監視される。
【０１２１】
回線接続判定部１７０は、回線接続部１３３に対し応答が着信したことを知らせる音声を０．５秒間送出する。回線接続部１３３は、電話機３００２の受話スピーカに対し、応答着信音を送出する。保守者は、応答着信音を電話機３００２の受話スピーカから聞き、相手局が呼び出しに応じたことを知る。以上の手続により、他局の相手局が通話に参加することが可能となる。
【０１２２】
本発明の実施形態においては、タンデムに接続されて通信ネットワークを構成するオーダワイヤ伝送システムについて、実施形態を用いて説明されたが、これに限定されない。
【０１２３】
本発明の実施形態において、オーダワイヤ通信装置は、デジタル通信データが互いに逆方向に伝送される２本の通信経路を有するが、これに限定されない。通信ネットワークの構成を変更することにより、通信経路は１本でもよい。また、通信経路の数を２よりも大きくしてもよい。
【０１２４】
なお、上述の処理動作を実行させるためのプログラムを、フレキシブルディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＭＯ（Ｍａｇｎｅｔｏ−Ｏｐｔｉｃａｌ  ｄｉｓｋ）などのコンピュータ読取可能な記録媒体に格納して配布し、当該プログラムをコンピュータにインストールすることにより、上述の処理動作を実行する装置を構成しても良い。
【産業上の利用可能性】
【０１２５】
本発明は、上記の実施形態に限定されるものではなく、通信データを中継し、通信容量の一部をデータや音声の通信に利用する、データ通信装置に好適に適用できる。
【符号の説明】
【０１２６】
１０、２０、１１０、１２０    分離部
１１、２１    解読部
１２、２２、３０、１１２、１２２、１３０    多重化部
１３、２３    符号化部
１４、２４、１１４、１２４    合成部
３１、３２    信号変換部
３３、１３３    回線接続部
４０、５０    蓄積部
４１、５１、１４１、１５１    応答検出部
４２、５２、１４２、１５２    局番検出部
４３、５３    選択部
４４、５４、１４４、１５４    応答部
４５、５５、１４５、１５５    発信部
６０、１６０    呼出部
７０、１７０    回線接続判定部
１１１、１２１    デコーダ
１１３、１２３    エンコーダ
１３１    ＤＡ変換部
１３２    ＡＤ変換部
１４０、１５０    レジスタ
１４３、１５３    セレクタ
１００１    通信装置
１００２、２００２、２１０２、３００２    電話機
１０１０    分離手段
１０１２    多重化手段
１０１４    合成手段
１１００    回線制御手段
２０００    無線機基地局
２００１、２１０１、３００１    オーダワイヤ通信装置
２０１３、２０２３、２１１３、２１２３、３０１３、３０２３    伝送装置
２０１４、２０２４    マイクロ波無線装置
２１００    広域ネットワーク端局
２１１４、２１２４    広域ネットワーク終端装置
【図１】
2014192558.tif 000003
【図２】
2014192558.tif 000004
【図３】
2014192558.tif 000005
【図４】
2014192558.tif 000006
【図５】
2014192558.tif 000007
【図６】
2014192558.tif 000008
【図７】
2014192558.tif 000009
【図８】
2014192558.tif 000010